【手続補正書】
【提出日】令和3年11月18日(2021.11.18)
【手続補正１】
【補正対象書類名】特許請求の範囲
【補正対象項目名】全文
【補正方法】変更
【補正の内容】
【特許請求の範囲】
【請求項１】
第１ワークを識別するための第１ワークＩＤと、前記第１ワークの位置の情報と、が対応付けられて記憶され、第２ワークを識別するための第２ワークＩＤと、前記第２ワークの位置の情報と、が対応付けられて記憶される記憶部と、
第一の位置にある前記第１ワークを前記第一の位置とは異なる第二の位置に移動させる場合に、前記記憶部において前記第１ワークＩＤに対応付けられている前記第１ワークの位置の情報を変更させる制御部と、を備えた、
ことを特徴とするシステム。
【請求項２】
前記記憶部は、前記第１ワークＩＤと前記第１ワークに実行された処理の情報とを対応付けて記憶させており、
前記制御部は、前記第１ワークの位置の情報に基づいて、前記第１ワークＩＤと前記第１ワークに実行された処理の情報とを対応付けて、前記記憶部に記憶させる、
ことを特徴とする請求項１記載のシステム。
【請求項３】
前記制御部は、
前記第１ワークを、前記第一の位置から前記第二の位置へ移動させた後、前記第二の位置から前記第二の位置とは異なる第四の位置へと移動させる場合、
前記第１ワークを前記第一の位置から前記第二の位置に移動させるまでの間に行なわれた処理に関する情報を、前記記憶部において前記第一の位置に対応付けられていることに基づいて、前記第１ワークＩＤに対応付けて前記記憶部に記憶させ、
前記第１ワークを前記第二の位置から前記第二の位置とは異なる第四の位置に移動させるまでの間に行なわれた処理に関する情報を、前記記憶部において前記第二の位置に対応付けられていることに基づいて、前記第１ワークＩＤに対応付けて前記記憶部に記憶させる、
ことを特徴とする請求項２記載のシステム。
【請求項４】
前記処理の情報には、前記処理における異常情報を含む、
ことを特徴とする請求項２又は３記載のシステム。
【請求項５】
前記記憶部は、前記ワークに対して行なわれる前記処理を行なう装置とともにネットワークに接続されたデータベースの一部を構成している、
ことを特徴とする請求項２乃至４のいずれか１項記載のシステム。
【請求項６】
複数のワークを保持可能な保持部の保持位置を表示可能な表示部と、
前記保持部の保持位置を選択可能な入力部と、を有し、
前記表示部には、前記保持位置のいずれかが選択された場合、前記選択された保持位置に対応付けられた前記ワークＩＤに対応付けられて前記記憶部に記憶された処理の情報の履歴が表示される、
ことを特徴とする請求項２乃至５のいずれか１項記載のシステム。
【請求項７】
複数のワークを保持可能な保持部の保持位置を表示可能な表示部を有し、
前記表示部は、前記記憶部に記憶された処理の情報の履歴に異常情報が含まれている前記ワークＩＤと対応付けられた前記保持部の保持位置については、異常であることを示す表示がなされる、
ことを特徴とする請求項４記載のシステム。
【請求項８】
前記表示部は、前記保持位置を含む保持部の全体のレイアウトを表示可能である、
ことを特徴とする請求項６又は７記載のシステム。
【請求項９】
前記表示部は、前記保持部の全体のレイアウトとともに前記処理の情報の履歴が表示される、
ことを特徴とする請求項８記載のシステム。
【請求項１０】
前記ワークに実行された処理の情報は、加工条件である、
ことを特徴とする請求項２乃至９のいずれか１項記載のシステム。
【請求項１１】
前記加工条件が変更された場合、変更前の前記ワークに実行された処理の情報に対応付けられたワークＩＤと対応付けられた保持部の保持位置に異常であることを示す表示がなされる、
ことを特徴とする請求項１０記載のシステム。
【請求項１２】
前記制御部は、第１ケース内の前記第一の位置に保持されている前記第１ワークを、第２ケースにおける第三の位置に移動させる場合、前記記憶部において前記ワークＩＤと対応付けられている保持位置の情報を、前記第一の位置から前記第三の位置に変更させる、
ことを特徴とする請求項１乃至１１のいずれか１項記載のシステム。
【請求項１３】
前記制御部は、前記第１ワークが前記第一の位置から移動された後、前記第一の位置にある第３ワークを識別するための第３ワークＩＤを付与し、前記第３ワークＩＤと、前記第３ワークの位置の情報とを対応付けて前記記憶部に記憶させる、
ことを特徴とする請求項１乃至１２のいずれか１項記載のシステム。
【請求項１４】
前記記憶部には、
前記第１ケース及び第２ケースのケースＩＤと、前記第１ケース及び前記第２ケースにおけるワークを保持可能な位置の情報と、が対応付けられて記憶されている、
ことを特徴とする請求項１２記載のシステム。
【請求項１５】
前記第１ケース及び前記第２ケースのそれぞれには、ケースＩＤを識別可能なケースＩＤタグが、物理的に装着されている、
ことを特徴とする請求項１４記載のシステム。
【請求項１６】
表示部と、
前記ケースＩＤタグが備える識別情報を読み取る読み取り装置と、を備え、
前記表示部は、前記読み取り装置によって読み取られた識別情報を有するケースに対応した情報を表示する、
ことを特徴とする請求項１５記載のシステム。
【請求項１７】
前記記憶部は、前記第１ワークおよび前記第２ワークが同じケースに収容されている状態で、前記第１ワークＩＤおよび前記第２ワークＩＤを記憶する、
ことを特徴とする請求項１２記載のシステム。
【請求項１８】
前記第一の位置は前記第１ケースにあり、前記第２ケースへの組み立て手順を表示する表示部を備えた、
ことを特徴とする請求項１７記載のシステム。
【請求項１９】
前記表示部は、前記第１ケース全体のレイアウトを表示するとともに、前記第２ケースへ組み付ける部品を前記第１ケース全体のレイアウトから選択可能である、
ことを特徴とする請求項１８記載のシステム。
【請求項２０】
前記第一の位置は前記第１ケースにあり、前記第二の位置は前記第２ケースにある、
ことを特徴とする請求項１８又は１９記載のシステム。
【請求項２１】
請求項１乃至２０のいずれか１項記載のシステムを用いて前記第１ワークに対する処理を実行し、物品を製造する物品の製造方法。
【請求項２２】
前記第１ワークを、レンズ鏡筒、カメラ内部のレンズ保持部、もしくは回路基板の上に保持させる、請求項２１記載の物品の製造方法。
【請求項２３】
複数のワークを保持可能なケースを用いて、前記ワークに対する処理が実行されるシステムにおいて、前記ワークに関する処理の履歴を管理する方法であって、
前記ケースに物理的に装着され、前記ケースを識別可能なケースＩＤタグと、ワーク毎の処理の履歴を記録するデータベースと、を用い、
制御部が、前記データベースに記録された当該のケースＩＤタグを識別するケースＩＤと、前記ケース内のワークの保持位置に対応付けられたワークＩＤと、を用いて、前記ワークに関する処理の履歴を管理する、
ことを特徴とする方法。
【請求項２４】
請求項２３に記載の方法を前記制御部に実行させる制御プログラムを格納したコンピュータ読み取り可能な記録媒体。
【手続補正２】
【補正対象書類名】明細書
【補正対象項目名】発明の名称
【補正方法】変更
【補正の内容】
【発明の名称】システム、方法、物品の製造方法及び記録媒体
【手続補正３】
【補正対象書類名】明細書
【補正対象項目名】０００１
【補正方法】変更
【補正の内容】
【０００１】
本発明は、システム、方法、物品の製造方法及び記録媒体に関する。
【手続補正４】
【補正対象書類名】明細書
【補正対象項目名】００１０
【補正方法】変更
【補正の内容】
【００１０】
そこで、本発明は、各ワークに対して適切に管理を行うことが可能なシステムを提供することを目的とする。
【手続補正５】
【補正対象書類名】明細書
【補正対象項目名】００１１
【補正方法】変更
【補正の内容】
【００１１】
本発明の一態様は、第１ワークを識別するための第１ワークＩＤと、前記第１ワークの位置の情報と、が対応付けられて記憶され、第２ワークを識別するための第２ワークＩＤと、前記第２ワークの位置の情報と、が対応付けられて記憶される記憶部と、第一の位置にある前記第１ワークを前記第一の位置とは異なる第二の位置に移動させる場合に、前記記憶部において前記第１ワークＩＤに対応付けられている前記第１ワークの位置の情報を変更させる制御部と、を備えた、ことを特徴とするシステムである。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
また、本発明の一態様は、複数のワークを保持可能なケースを用いて、前記ワークに対する処理が実行されるシステムにおいて、前記ワークに関する処理の履歴を管理する方法であって、前記ケースに物理的に装着され、前記ケースを識別可能なケースＩＤタグと、ワーク毎の処理の履歴を記録するデータベースと、を用い、制御部が、前記データベースに記録された当該のケースＩＤタグを識別するケースＩＤと、前記ケース内のワークの保持位置に対応付けられたワークＩＤと、を用いて、前記ワークに関する処理の履歴を管理することを特徴とする方法である。
【手続補正８】
【補正対象書類名】明細書
【補正対象項目名】００１４
【補正方法】変更
【補正の内容】
【００１４】
本発明によると、各ワークに対して適切に管理を行うことができる。